(57)【要約】【課題】ガスメータにおいて、長期間の塵挨蓄積による圧力損失の増加を来すことなく流量計測部への塵挨の流入を防止すること。【解決手段】ガスメータ１の筺体２内において、流量計測部１０の入口部１１を前記筺体２内に開口するとともに、前記流量計測部１０の出口部１２を前記流出部４に接続し、前記流入部３と前記入口部１１とを区画する位置にフィルタ１４を配置するとともに前記フィルタ１４は前記入口部１１より大きい面積を有することにより、ガスメータ１の筺体２内の広い空間にて流速を遅くして塵挨の落下を容易にすることができ、さらに流量計測部１０に入る前に広い面積のフィルタ１４により低流速で塵挨を捕集するため、塵挨の捕集効率を高めるとともに、長期間にわたる塵挨の蓄積による圧力損失の増加を来すことがなく、これらの総合効果により流量計測部１０への塵挨流入を防止するようにしたものである。【選択図】図１
2014157017.tif 000002
【特許請求の範囲】
【請求項１】
筺体と、前記筺体に設けられた流入部、および流出部と、前記筺体内に配置され、入口部と出口部とを有する流量計測部と、前記筺体内部に配置したフィルタとよりなり、前記流量計測部は入口部を前記筺体内に開口するとともに、前記流量計測部の出口部を前記流出部に接続し、前記フィルタは前記流入部と前記入口部とを区画するとともに、前記入口部より大きい面積を有したガスメータ。
【発明の詳細な説明】
【技術分野】
【０００１】
本発明は、流量計測部への塵挨流入を防止するガスメータに関するものである。
【背景技術】
【０００２】
従来、この種のガスメータは、流量計測部の上流側に異物除去用のフィルタを設けている（例えば、特許文献１参照）。
【０００３】
図２は、特許文献１に記載された従来のガスメータを示すものである。  図２に示すように、ガスメータ１０１は、流入口１０２と、流出口１０３と、を有しており、ガスメータ１０１の内部では、フィルタ１０４と、遮断弁１０５と、下向き流路１０６と、流量計測部が配設された水平流路１０７と、上向き流路１０８とが連続して接続されており、これらが流入口１０２と流出口１０３との間に配置された構成となっている。
【先行技術文献】
【特許文献】
【０００４】
【特許文献１】特開２００４−１０１３０３号公報
【発明の概要】
【発明が解決しようとする課題】
【０００５】
しかしながら、前記従来の構成では、流入口１０２より流入した異物は、流入口１０２直後のフィルタ１０４に堆積するため、長期間の後には圧力損失となり、ガスメータ１０１に所定の流量を流すことができなくなるという課題を有していた。
【０００６】
本発明は、前記従来の課題を解決するもので、長期間経過しても大きな圧力損失の増加を生じることなく流量計測部への塵挨の流入を防止するようにしたガスメータを提供するものである。
【課題を解決するための手段】
【０００７】
前記従来の課題を解決するために、本発明のガスメータは、筺体と、前記筺体に設けられた流入部、および流出部と、前記筺体内に配置され、入口部と出口部とを有する流量計測部と、前記筺体内部に配置したフィルタとよりなり、前記流量計測部は入口部を前記筺体内に開口するとともに、前記流量計測部の出口部を前記流出部に接続し、前記フィルタは前記流入部と前記入口部とを区画するとともに、前記入口部より大きい面積を有したものである。
【０００８】
これによって、流入部より流入したガスの流れを、いったんガスメータの筺体内の広い空間に開放して流速を遅くして塵挨の落下を容易にすることができ、さらに流量計測部に入る前に広い面積のフィルタにより低流速で塵挨を捕集するため、塵挨の捕集効率を高めるとともに、長期間にわたる塵挨の蓄積による大きな圧力損失の増加を来すことがなく、これらの総合効果により流量計測部への塵挨流入を防止するようにしたものである。
【発明の効果】
【０００９】
本発明のガスメータは、流速の低下と広い面積のフィルタにより流量計測部への塵挨流入を防止することができる。また、長期間にわたるフィルタへの塵挨蓄積によっても圧力損失の増加を来すことがない。
【図面の簡単な説明】
【００１０】
【図１】本発明の実施の形態１におけるガスメータの垂直断面図
【図２】従来のガスメータの垂直断面図
【発明を実施するための形態】
【００１１】
第１の発明は、筺体と、前記筺体に設けられた流入部、および流出部と、前記筺体内に配置され、入口部と出口部とを有する流量計測部と、前記筺体内部に配置したフィルタとよりなり、前記流量計測部は入口部を前記筺体内に開口するとともに、前記流量計測部の出口部を前記流出部に接続し、前記フィルタは前記流入部と前記入口部とを区画するとともに、前記入口部より大きい面積を有することにより、流入部より流入したガスの流れを、いったんガスメータの筺体内の広い空間に開放して流速を遅くして塵挨の落下を容易にすることができ、さらに流量計測部に入る前に広い面積のフィルタにより低流速で塵挨を捕集するため、塵挨の捕集効率を高めるとともに、長期間にわたる塵挨の蓄積による、大きな圧力損失の増加を来すことがなく、これらの総合効果により、流量計測部への塵挨流入を防止するようにしたものである。
【００１２】
以下、本発明の実施の形態について、図面を参照しながら説明する。なお、この実施の形態によって本発明が限定されるものではない。
【００１３】
（実施の形態１）
実施の形態１ついて、図１を参照しながら説明する。図１は、本発明の第１の実施の形態におけるガスメータの垂直断面図を示すものである。
【００１４】
図１において１はガスメータである。ガスメータ１の筺体２は、流入部３と流出部４を有している。流入部３には流入パイプ５、流出部４には流出パイプ６が接続されている。筺体２の内部において、流入部３には遮断弁７が接続されている。この遮断弁７の入口端８は流入部３に接続され、出口端９は筺体２の内部に開放されている。
【００１５】
また、筺体２の内部には、流量計測部１０が、配置されている。流量計測部１０は入口部１１と出口部１２を有しており、入口部１１は筺体２の内部に開放されており、出口部１２は接続部１３により流出部４に接続されている。
【００１６】
流量計測部１０としては、例えば超音波で流量を計測する方式のものや、フローセンサで流量を計測するものがある。また、超音波で計測するもので、その流路内部を板で複数に分割するものも含まれる。
【００１７】
筺体２の内部にはフィルタ１４が配置されている。フィルタ１４は、流入部３と流量計測部１０の入口部１１とを区画する位置に配置されている。
【００１８】
また、フィルタ１４の面積は、流量計測部１０の入口部１１の面積よりも大きくなるような設定になされている。
【００１９】
本実施例の場合、フィルタ１４は筺体２の左側面１５から右側面１６にわたり、筺体２の奥行き方向一杯の幅で水平に取り付けられており、筺体２の内部がフィルタ１４により区画されるように配置されている。
【００２０】
すなわち、フィルタ１４は、流入部３から流量計測部１０の入口部１１への流れが必ず通過する位置に配置されている。この場合のフィルタ１４の面積は流量計測部１０の入口部１１の面積よりも十分大きいものである。
【００２１】
以上のように構成されたガスメータ１について、以下、その動作、作用を説明する。
まず、流入パイプ５より流入したガスは、流入部３から遮断弁７の入口端８より入り、その後、出口端９より筺体２の内部空間に放出される。この内部空間は面積が流入部３より十分広いため、ガスの流速は遅くなり、ガスに含まれている塵挨はここでその一部が落下する。
【００２２】
筺体２の内部には、内部を区画するようにフィルタ１４が配置されているため、遮断弁７の出口端９より放出された流れＰ１は、Ｐ２、Ｐ３のような流れとなってフィルタ１４を通過する。このフィルタ１４の面積は流量計測部１０の入口部１１の面積より十分大きいため、フィルタ１４における通過流速が小さく、塵埃の捕集効率を高めることができるものである。
【００２３】
また、フィルタ１４の面積が大きいことにより圧力損失もきわめて少ないものである。とりわけ、長期間にわたって、フィルタ１４に塵埃が蓄積したとしても、流れは塵埃が蓄積している部分を回避して、より損失の少ない部分を流れるため、従来例で示したような遮断弁の入口に設けられた面積の小さいフィルタと比較して、圧力損失は格段に低いことが容易に類推されるものである。
【００２４】
以上のように、本実施の形態においては、流入部より流入したガスの流れを、いったんガスメータの筺体２内の広い空間に開放して流速を遅くして塵挨の落下を容易にすることができ、さらに流量計測部１０に入る前に広い面積のフィルタ１４により低流速で塵挨を捕集するため、塵挨の捕集効率を高めるとともに、長期間にわたる塵挨の蓄積による圧力損失の大きな増加を来すことがなく、これらの総合効果により流量計測部１０への塵挨流入を防止することができる。
【００２５】
なお、本実施の形態でフィルタ１４を筐体２の内部全体にわたり区画する構成としたが、これに限定されるものではなく、例えば、流量計測部１０の入口部１１に袋状のフィルタを配置する構成等も可能である。
【００２６】
また、本実施例で遮断弁を構成要素に加えたが、遮断弁がなくても同様の効果が発揮されるものである。
【産業上の利用可能性】
【００２７】
以上のように、本発明にかかるガスメータは、長期間にわたり、塵挨の蓄積による圧力損失の増加を来すことなく流量計測部への塵挨流入を防止することが可能となるので、家庭用から業務用に至る大型のガスメータまで幅広い用途に適用できる。
【符号の説明】
【００２８】
１  ガスメータ
２  筺体
３  流入部
４  流出部
１０  流量計測部
１１  入口部
１２  出口部
１３  接続部
１４  フィルタ
【図１】
2014157017.tif 000003
【図２】
2014157017.tif 000004